【手続補正書】
【提出日】平成21年12月4日(2009.12.4)
【手続補正１】
【補正対象書類名】特許請求の範囲
【補正対象項目名】全文
【補正方法】変更
【補正の内容】
【特許請求の範囲】
【請求項１】
複数画素を有し、入射した被写体の光学像を電気信号に変換して画像データを出力する撮像手段と、
前記光学像の前記撮像手段への入射位置をずらすシフト手段と、
動画記録中に静止画記録を指示する指示手段と、
前記指示手段による指示に応じて、複数フレームを１周期として、１画素未満ずつ前記複数フレーム間で互いに異なる位置に前記光学像の入射位置をずらすように前記シフト手段を制御する制御手段と、
前記指示手段による指示に応じて、前記１周期で得られる前記複数フレームの画像データを、画素密度が向上するように合成画像データとして合成する合成手段と、
前記指示手段による指示に応じて、前記制御手段による前記光学像の入射位置のずれをキャンセルするように各フレームの画像データを補正する補正手段と、
前記合成手段により合成された合成画像データを静止画像として記録し、前記補正手段により補正された画像データを動画像として記録する記録手段と
を有することを特徴とする撮像装置。
【請求項２】
前記制御手段は、
１画素未満のずらし量を出力するずらし量出力手段と、
手ぶれを検出して手ぶれ補正量を取得する手ぶれ検出手段と、
前記ずらし量と前記手ぶれ補正量とに基づいて、前記シフト手段を制御するための制御量を算出する算出手段と
を有することを特徴とする請求項１に記載の撮像装置。
【請求項３】
前記合成手段及び前記補正手段は、前記ずらし量出力手段により出力されるずらし量に基づいて、前記合成及び補正をそれぞれ行うことを特徴とする請求項２に記載の撮像装置。
【請求項４】
前記撮像手段から出力される複数フレーム分の画像データから、画像間のずれ量を検出する検出手段を更に有し、
前記合成手段及び前記補正手段は、更に、前記検出手段により得られたずれ量に基づいて、前記合成及び補正をそれぞれ行うことを特徴とする請求項３に記載の撮像装置。
【請求項５】
表示手段と、
前記動画記録中の静止画記録時に、前記表示手段に、動画像を連続して表示するか、静止画像を作成する複数フレームから任意のフレームの画像を表示するか、または前記合成手段により合成された画像を表示するように制御する表示制御手段と、
を更に有することを特徴とする請求項１乃至４のいずれか１項に記載の撮像装置。
【請求項６】
複数画素を有し、入射した被写体の光学像を電気信号に変換して画像データを出力する撮像手段と、前記光学像の前記撮像手段への入射位置をずらすシフト手段とを有する撮像装置における撮像方法であって、
指示手段が、動画記録中に静止画記録を指示する指示工程と、
制御手段が、前記指示工程による指示に応じて、複数フレームを１周期として、１画素未満ずつ前記複数フレーム間で互いに異なる位置に前記光学像の入射位置をずらすように前記シフト手段を制御するシフト工程と、
合成手段が、前記指示工程における指示に応じて、前記１周期で得られる前記複数フレームの画像データを、画素密度が向上するように合成画像データとして合成する合成工程と、
補正手段が、前記指示工程における指示に応じて、前記シフト工程による前記光学像の入射位置のずれをキャンセルするように各フレームの画像データを補正する補正工程と、
記録手段が、前記合成手段により合成された合成画像データを静止画像として記録し、前記補正手段により補正された画像データを動画像として記録する記録工程と
を有することを特徴とする撮像方法。
【請求項７】
前記シフト工程は、
１画素未満のずらし量を出力するずらし量出力工程と、
手ぶれを検出して手ぶれ補正量を取得する手ぶれ検出工程と、
前記ずらし量と前記手ぶれ補正量とに基づいて、前記シフト手段を制御するための制御量を算出する算出工程と
を有することを特徴とする請求項６に記載の撮像方法。
【請求項８】
前記合成工程及び前記補正工程では、前記ずらし量出力工程で出力されたずらし量に基づいて、前記合成及び補正をそれぞれ行うことを特徴とする請求項７に記載の撮像方法。
【請求項９】
前記撮像手段から出力される複数フレーム分の画像データから、画像間のずれ量を検出する検出工程を更に有し、
前記合成工程及び前記補正工程では、更に、前記検出工程でにより得られたずれ量に基づいて、前記合成及び補正をそれぞれ行うことを特徴とする請求項８に記載の撮像方法。
【請求項１０】
前記撮像装置は、表示手段を更に有し、
前記動画記録中の静止画記録時に、表示制御手段が、前記表示手段に、動画像を連続して表示するか、静止画像を作成する複数フレームから任意のフレームの画像を表示するか、または前記合成工程で合成された画像を表示する表示工程を更に有することを特徴とする請求項６乃至９のいずれか１項に記載の撮像方法。
【請求項１１】
コンピュータに、請求項６乃至１０のいずれか１項に記載の撮像方法の各工程を実行させるためのプログラム。
【請求項１２】
請求項１１に記載のプログラムを格納したことを特徴とするコンピュータが読み取り可能な記憶媒体。
【手続補正２】
【補正対象書類名】明細書
【補正対象項目名】００１２
【補正方法】変更
【補正の内容】
【００１２】
上記目的を達成するために、本発明の撮像装置は、複数画素を有し、入射した被写体の光学像を電気信号に変換して画像データを出力する撮像手段と、前記光学像の前記撮像手段への入射位置をずらすシフト手段と、動画記録中に静止画記録を指示する指示手段と、前記指示手段による指示に応じて、複数フレームを１周期として、１画素未満ずつ前記複数フレーム間で互いに異なる位置に前記光学像の入射位置をずらすように前記シフト手段を制御する制御手段と、前記指示手段による指示に応じて、前記１周期で得られる前記複数フレームの画像データを、画素密度が向上するように合成画像データとして合成する合成手段と、前記指示手段による指示に応じて、前記制御手段による前記光学像の入射位置のずれをキャンセルするように各フレームの画像データを補正する補正手段と、前記合成手段により合成された合成画像データを静止画像として記録し、前記補正手段により補正された画像データを動画像として記録する記録手段とを有する。
【手続補正３】
【補正対象書類名】明細書
【補正対象項目名】００１３
【補正方法】変更
【補正の内容】
【００１３】
また、本発明の撮像方法は、複数画素を有し、入射した被写体の光学像を電気信号に変換して画像データを出力する撮像手段と、前記光学像の前記撮像手段への入射位置をずらすシフト手段とを有する撮像装置における撮像方法であって、指示手段が、動画記録中に静止画記録を指示する指示工程と、制御手段が、前記指示工程による指示に応じて、複数フレームを１周期として、１画素未満ずつ前記複数フレーム間で互いに異なる位置に前記光学像の入射位置をずらすように前記シフト手段を制御するシフト工程と、合成手段が、前記指示工程における指示に応じて、前記１周期で得られる前記複数フレームの画像データを、画素密度が向上するように合成画像データとして合成する合成工程と、補正手段が、前記指示工程における指示に応じて、前記シフト工程による前記光学像の入射位置のずれをキャンセルするように各フレームの画像データを補正する補正工程と、記録手段が、前記合成手段により合成された合成画像データを静止画像として記録し、前記補正手段により補正された画像データを動画像として記録する記録工程とを有する。